(57)【特許請求の範囲】
【請求項１】
床下から床の下地材を通じてねじ込まれて床の仕上げ材に至るビスであって、
その軸部の内部の少なくとも一部は中空であり、その頭部にはこの軸部の内部に連通した接着剤の注入口が形成されていると共に、
前記軸部の側部の少なくとも一箇所に前記注入口を通じてこの軸部の内部に注入された接着剤の流出孔が形成されており、
しかも、前記頭部が前記下地材の下面に突き当たってこれをねじ込みきってはいないがその後のねじ込みに抵抗が強まるようになった状態において、前記流出孔が前記下地材と前記仕上げ材との間に位置されるようにしてなることを特徴とするビス。
【請求項２】
軸部にその軸線方向において隣り合う流出孔との間に間隔を開けて二以上の吐出口が形成されていることを特徴とする請求項１に記載のビス。
【発明の詳細な説明】
【技術分野】
【０００１】
この発明は、床下の空間から床の下地材を通じて床の仕上げ材に至るようにねじ込まれて、この下地材と仕上げ材とを止め合わせるために用いられるビスに関する。
【背景技術】
【０００２】
住宅の床を構成する仕上げ材と下地材との止着状態が悪いと、あるいは、かかる止着状態が経時的に劣化すると、いわゆる床鳴りなどの不具合が生じる。かかる止着は、通常、仕上げ材と下地材との接着や、両者のビス止めによりなされているが、特に一旦仕上げられた床に前記のような不具合が生じた場合に、仕上げ材の表面意匠に影響を与えることなくこれを容易に正し得る有効な手法はこれまでなかった。
【発明の概要】
【発明が解決しようとする課題】
【０００３】
この発明が解決しようとする主たる問題点は、床下の空間を利用した単純な作業により、床を構成する仕上げ材と下地材とを、仕上げ材の表面意匠に影響を及ぼすことなく強固に止め付け合わせることができるようにする点にある。
【課題を解決するための手段】
【０００４】
前記課題課題を達成するために、この発明にあっては、ビスを、床下から床の下地材を通じてねじ込まれて床の仕上げ材に至るビスであって、その軸部の内部の少なくとも一部は中空であり、その頭部にはこの軸部の内部に連通した接着剤の注入口が形成されていると共に、前記軸部の側部の少なくとも一箇所に前記注入口を通じてこの軸部の内部に注入された接着剤の流出孔が形成されており、しかも、前記頭部が前記下地材の下面に突き当たってこれをねじ込みきってはいないがその後のねじ込みに抵抗が強まるようになった状態において、前記流出孔が前記下地材と前記仕上げ材との間に位置されるようにしてなるものとした。
【０００５】
床下の空間から、下地材を通じて仕上げ材に、前記流出孔が両者の間に位置されるようにビスをねじ込み、この後、注入口から接着剤を圧入すると、流出孔から下地材と仕上げ材との間に接着剤が送り出される。これにより、かかる下地材と仕上げ材とをビスで止め付けながら同時にこの止め付け箇所を中心とした一定範囲において接着もさせることができる。ビスは床下からねじ込まれることから、かかるビスによる止め付けは仕上げ材の表面の意匠に影響を与えないようになすことができる。また、前記ビスの頭部が下地材の下面に突き当たってこれをねじ込みきってはいないがその後のねじ込みに抵抗が強まるようになった状態において、前記流出孔が下地材と仕上げ材との間に位置されるようにしておけば、この状態から接着剤を注入した後にビスをねじ込みきることができ、ねじ込みきった状態においては下地材と仕上げ材との間に送り込まれた接着剤が逆流することがないようにすることができる。
【０００６】
軸部にその軸線方向において隣り合う流出孔との間に間隔を開けて二以上の流出孔を形成させるようにしておけば、軸部の長さを一定とするビスをもって、下地材の厚さを異にする床の仕上げや補修をそれぞれ前記のようにして適切になすことができる。
【発明の効果】
【０００７】
この発明によれば、床下の空間から下地材にビスをねじ込んだ後にこのビスへの接着剤の注入をなすだけで、床を構成する仕上げ材と下地材とを、仕上げ材の表面意匠に影響を及ぼすことなく強固に止め付け合わせることができる。
【図面の簡単な説明】
【０００８】
【図１】図１はビスの斜視図である。
【図２】図２はビスの断面図である。
【図３】図３はビスの使用状態を示した断面図である。
【図４】図４はビスの利用方法の一例を示した断面図である。
【図５】図５は図４の状態からビスをねじ込みきった様子を示した断面図である。
【発明を実施するための形態】
【０００９】
以下、図１〜図５に基づいて、この発明の典型的な実施の形態について説明する。この実施の形態にかかるビスＢは、床下の空間ＵＦから床Ｆの下地材Ｆａを通じて床Ｆの仕上げ材Ｆｂに至るようにねじ込まれて、この下地材Ｆａと仕上げ材Ｆｂとを止め合わせるために用いられるものである。典型的には、かかるビスＢは、下地材Ｆａとしての合板と仕上げ材Ｆｂとしての木質系の床材とを止め合わせるために用いられる。かかるビスＢは、床下から前記のように所定位置までねじ込んだ後に、このビスＢを利用して、下地材Ｆａと仕上げ材Ｆｂとの間、すなわち、下地材Ｆａの上面Ｆａａと仕上げ材Ｆｂの下面Ｆｂａとの間に、接着剤Ｇを送り込める構造を備えている。これにより、かかるビスＢによれば、下地材Ｆａ上に仕上げ材Ｆｂを床鳴りなどを生じさせないように強固に張り込むことができ、あるいはまた、下地材Ｆａ上の仕上げ材Ｆｂの張り込み状態を事後的に強化させることができる。かかるビスＢは、このような住宅の床Ｆの仕上げあるいは補修を、その仕上げ材Ｆｂの意匠に影響を与えることなく適切に行えるものである。
【００１０】
かかるビスＢは、頭部１と軸部２とを有している。軸部２は、外側に雄ねじ部２ａを有し、その先端２ｂからねじ込み対象物にねじ込めるようになっている。頭部１は円形の外郭を有し、その下面の中央において軸部２の基部２ｄと一体化されており、この軸部２の外径よりも外径を大きくしている。図示の例では、軸部２の先端２ｂからその軸線方向略中程の位置までは中実であり、この中実箇所２ｃから基部２ｄに至るまでの箇所において軸部２の内部は中空となっている。図示の例とは別に、軸部２の内部を全体として中空に構成させておいても構わない。一方、前記頭部１にはこの軸部２の中空な内部２ｅに連通した接着剤Ｇの注入口１ａが形成されている。図示の例では、かかる頭部１の上面には、ドライバの先端の受け入れ孔１ｂが形成されていると共に、この受け入れ孔１ｂが軸部２の中空な内部２ｅに連通するようになっている。すなわち、図示の例では、かかる受け入れ孔１ｂが前記注入口１ａとして機能するようになっている。
【００１１】
前記軸部２の側部には、この軸部２の前記中空な内部２ｅと外部とを連通させる流出孔２ｆが形成されている。図示の例では、軸部２の軸線方向略中程の位置において、この軸部２の直径方向両側にそれぞれ、小孔状をなす流出孔２ｆが形成されている。そして、この実施の形態にあっては、前記頭部１に形成された注入口１ａを通じて軸部２の内部に注入された接着剤Ｇが流出孔２ｆより外部に送り出されるようになっている。
【００１２】
床下の空間ＵＦから、下地材Ｆａを通じて仕上げ材Ｆｂに、前記流出孔２ｆが両者の間に位置されるようにビスＢをねじ込み、この後、注入口１ａから接着剤Ｇを圧入すると、流出孔２ｆから下地材Ｆａと仕上げ材Ｆｂとの間に接着剤Ｇが送り出される。典型的には、一階建ての住宅あるいは多層階の住宅の一階にあっては土間コンと下地材Ｆａの間の空間から、多層階の住宅の二階以上の階にあっては下層階の天井裏の空間から、かかる作業をなすこととなる。これにより、かかる下地材Ｆａと仕上げ材ＦｂとをビスＢで止め付けながら同時にこの止め付け箇所を中心とした一定範囲において接着もさせることができる。ビスＢは床下からねじ込まれることから、かかるビスＢによる止め付けは仕上げ材Ｆｂの表面の意匠に影響を与えないようになすことができる。接着剤Ｇは、典型的には、チューブ入りの床工事用接着剤のそのチューブのノズルをビスＢの頭部１の注入口１ａにあてがった状態からこのチューブを押圧することで、前記のように圧入することができる。
【００１３】
図４に示されるように、ビスＢの頭部１が下地材Ｆａの下面に突き当たってこれをねじ込みきってはいないがその後のねじ込みに抵抗が強まるようになった状態において、前記流出孔２ｆが下地材Ｆａと仕上げ材Ｆｂとの間に位置されるようにしておけば、この状態から接着剤Ｇを注入した後にビスＢをねじ込みきることができ、ねじ込みきった状態においては（図５）下地材Ｆａと仕上げ材Ｆｂとの間に送り込まれた接着剤Ｇが逆流することがないようにすることができる。
【００１４】
かかるビスＢの軸部２の長さは、止め付け合わせるべき下地材Ｆａと仕上げ材Ｆｂの厚さを考慮して選択され、流出孔２ｆの形成位置は下地材Ｆａの厚さを考慮して決められる。軸部２にその軸線方向において隣り合う流出孔２ｆとの間に間隔を開けて二以上の流出孔２ｆ、２ｆ…を形成させるようにしておけば、軸部２の長さを一定とするビスＢをもって、下地材Ｆａの厚さを異にする床Ｆの仕上げや補修をそれぞれ適切になすことができる。すなわち、このようにしておけば、床Ｆの下地材Ｆａの厚さの如何にかかわらず、頭部１からの距離を異にするいずれかの流出孔２ｆが必ず下地材Ｆａと仕上げ材Ｆｂとの間に位置されるようにすることができる。
【符号の説明】
【００１５】
Ｆ  床
Ｆａ  下地材
Ｆｂ  仕上げ材
Ｂ  ビス
１  頭部
１ａ  注入口
２  軸部
２ｆ  流出孔
【図１】
0005588746.tif 000002
【図２】
0005588746.tif 000003
【図３】
0005588746.tif 000004
【図４】
0005588746.tif 000005
【図５】
0005588746.tif 000006